(57)【特許請求の範囲】
【請求項１】
便器上に設けられヒーターが内装された便座と、
前記便座上に配設されたヒンジにより開閉自在とした便蓋、この蓋裏面側であって少なくとも前記便蓋を閉じた状態で前記ヒーターの発熱部に対向する領域に設けられた板状の断熱材、および前記断熱材を覆う板状のカバー部材が、一体に組み立てられかつ使用者が着座した時に前記使用者の背中に当たることがないよう厚さを、反ヒンジ側に向かって薄くさせた便蓋組立と、を備えることを特徴とする便座装置。
【請求項２】
前記断熱材は、略Ｕ字状、略ハ字状あるいは略半長円状をなすことを特徴とする請求項１に記載の便座装置。
【請求項３】
前記カバー部材に、便座に当接する緩衝部材が装着される緩衝部材の取付部を設けたことを特徴とする請求項１または２に記載の便座装置。
【発明の詳細な説明】
【技術分野】
【０００１】
本発明は便座装置に係り、特にヒーターが内装された便座を備えた便座装置に関する。
【背景技術】
【０００２】
従来、便座装置において、使用者の着座時、冷たさを感じないように、便座を暖めることが行われている。
【０００３】
従来の便座装置は、便座の着座面をなす表面板（外郭材）の裏面に設けられたヒーターにより、常時便座を暖めている。
【０００４】
しかしながら、便蓋が閉じられ便座の保温がなされた状態でも、便蓋から熱が逃げ、エネルギーロスが生じる。
【０００５】
このエネルギーロスを解消するため、便蓋の裏面に断熱材を取り付け、省エネルギーを図る便座装置が提案されている（特許文献１）。
【０００６】
この特許文献１のものは、断熱材が外部に露出しているため、不衛生であり、美観に優れず、破損し易い。また、断熱材は長円環状をなし、その厚さが全面に渡って一定であるため、便蓋全体の肉厚になり、使用者の着座時、使用者の背中に当り不愉快な思いをさせ、また、便蓋を立てた状態の安定に欠ける。
【先行技術文献】
【特許文献】
【０００７】
【特許文献１】特開平１１−３１８７６６号公報
【発明の概要】
【発明が解決しようとする課題】
【０００８】
本発明は上述した事情を考慮してなされたもので、省エネルギーで衛生的な便座装置を提供することを目的とする。
【課題を解決するための手段】
【０００９】
上述した目的を達成するため、本発明に係る便座装置は、便器上に設けられヒーターが内装された便座と、前記便座上に配設されたヒンジにより開閉自在とした便蓋、この蓋裏面側であって少なくとも前記便蓋を閉じた状態で前記ヒーターの発熱部に対向する領域に設けられた板状の断熱材、および前記断熱材を覆う板状のカバー部材が、一体に組み立てられかつ使用者が着座した時に前記使用者の背中に当たることがないよう厚さを、反ヒンジ側に向かって薄くさせた便蓋組立と、を備えることを特徴とする。
【発明の効果】
【００１０】
本発明に係る便座装置によれば、省エネルギーで衛生的な便座装置を提供することができる。
【図面の簡単な説明】
【００１１】
【図１】本発明の第１実施形態に係る便座装置の斜視図。
【図２】本発明の第１実施形態に係る便座装置の便蓋及び便座の一部を切欠して示す平面図。
【図３】本発明の第１実施形態に係る便座装置の便座を分解して示し、（ａ）は表面板、（ｂ）はヒーター取付部材、（ｃ）は裏板の斜視図。
【図４】本発明の第１実施形態に係る便蓋組立を分解して示し、（ａ）は便蓋、（ｂ）は断熱材、（ｃ）はカバー部材の斜視図。
【図５】本発明の第１実施形態に係る便座装置の便蓋組立の縦断面図。
【図６】本発明の第２実施形態に係る便座装置の便蓋及び便座の一部を切欠して示す平面図。
【図７】本発明の第３実施形態に係る便座装置の便蓋及び便座の一部を切欠して示す平面図。
【発明を実施するための形態】
【００１２】
本発明の第１実施形態に係る便座装置について添付図面を参照して説明する。
【００１３】
図１は本発明の第１実施形態に係る便座装置の斜視図、図２は本発明の第１実施形態の便座装置の便蓋及び便座の一部を切欠して示す平面図である。
【００１４】
図１に示すように、本第１実施形態の便座装置１は、便器２上に設けられる便座３を備え、この便座３上には、便蓋４が開閉自在に設けられ、図２に示すように、便座３にはヒーター５が内装され、便蓋４には、その裏面に断熱材６が取り付けられ、さらに、この断熱材６を覆うようにカバー部材７が取り付けられ、便蓋４の閉時、便座３のヒーター５の配置領域を覆うようになっている。
【００１５】
図３（ａ）〜（ｃ）に分解して示すように、便座３は表面板（外郭板）８と、長手方向に沿ってヒーター５が取り付けられるヒーター取付部材９、ヒーター取付部材９を支持する支持部材１０ａを備えた裏板（外郭板）１０から構成され、これらを一体に組み立ててなり、ヒーター５は使用者の着座時、使用者の主として太腿に対応する位置になるように取り付けられる。
【００１６】
図４（ａ）に示すように、便蓋４は便座３と略同様の外形形状なす合成樹脂製平板からなり、直線部を除く外周には、ヒンジ４ａ側から反ヒンジ側（先端側）に向かって高さが漸減する立上４ｂが設けられる。
【００１７】
図４（ｂ）に示すように、断熱材６は板状略Ｕ字状をなし、直線状の一端から他端（先端）にかけてその厚さが漸次薄くなる先薄形状に形成される。
【００１８】
図４（ｃ）に示すように、カバー部材７は断熱材６と略同様のＵ字状の外形形状をなし、直線部及び内周側には直線状の一端から他端（先端）にかけてその高さが漸次低くなる立上７ａが設けられ、先端近傍には、図５に示す緩衝部材７ｂが嵌合して取り付けられる取付凹部７ｃが設けられる。
【００１９】
図５に示すように、従って、便蓋４、断熱材６、カバー部材７は、一般的なネジあるいは接着剤などの固着手段を用いて一体的に組み立てられて便蓋組立１１を形成し、この便蓋組立１１も、ヒンジ側から反ヒンジ側（先端側）に向かって厚さが漸減する先薄構造になる。
【００２０】
なお、便蓋の組立は断熱材に現場発泡材を用いれば、便蓋、断熱材、カバー部材を容易に一体化できる。
【００２１】
このような構造の便蓋組立１１は、ヒンジ部４ａ、オイルダンパー（図示せず）を介して、操作部１２を備える便座本体１３に軸着されて、便座３上に開閉自在に設けられる。
【００２２】
便蓋４を閉じた状態では、図２に示すように、断熱材６によりヒーター５を覆うため熱の放射が防がれ、省エネルギーが実現する。
【００２３】
また、図１に示すように、断熱材６はカバー部材７で覆われるので、衛生的であり、美観に優れ、破損のおそれがない。さらに、断熱材のＵ字部とカバー部材のＵ字部が係合するので、断熱材の脱落がない。
【００２４】
さらに、便蓋組立全体が先薄形状になっているので、使用者の着座時、使用者の背中に当り不愉快な思いをさせることがなく、便蓋を立てた状態も安定するため、便座を立て行う小用時も、便蓋と便座が倒れることがなく、衛生的に使用できる。
【００２５】
本第１実施形態によれば、省エネルギーで衛生的な便座装置が実現される。
【００２６】
次に本発明の第２実施形態に係る便座装置について説明する。
【００２７】
本第２実施形態は、第１実施形態が略Ｕ字状の断熱材を用いるのに対して、略ハ字状の断熱材を用いる。
【００２８】
例えば、図６に示すように、本第２実施形態の便座装置２１は、断熱材６１が板状略ハ字状をなし、直線状の一端から他端（先端）にかけてその厚さが漸次薄くなる先薄形状に形成され、カバー部材７１は断熱材６１と略同様のハ字状の外形形状をなし、内周側には直線状の一端から他端（先端）にかけてその高さが漸次低くなる立上７１ａが設けられる。
【００２９】
これにより、第１実施形態と同様の効果が得られるとともに、第１実施形態に比べて断熱材及びカバー部材の面積を減ずることができ、安価である。
【００３０】
なお、他の構成は図１に示す便座装置と異ならないので、同一符号を付して説明は省略する。
【００３１】
本第３実施形態は、第１実施形態が略Ｕ字状の断熱材を用いるのに対して、略半長円状の断熱材を用いる。
【００３２】
例えば、図７に示すように、本第３実施形態の便座装置３１は、断熱材６２は板状略半長円状をなし、直線状の一端から他端（先端）にかけてその厚さが漸次薄くなる先薄形状に形成され、カバー部材７２は断熱材６２と略同様の半長円状をなし、内周側には直線状の一端から他端（先端）にかけてその高さが漸次低くなる立上７１ａが設けられる。
【００３３】
これにより、第１実施形態と同様の効果が得られるとともに、断熱材及びカバー部材の形状が単純になり、作業性が向上する。
【符号の説明】
【００３４】
１  便座装置
２  便器
３  便座
４  便蓋
４ａ  ヒンジ
４ｂ  立上
５  ヒーター
６  断熱材
７  カバー部材
７ａ  立上
７ｂ  緩衝部材
７ｃ  取付凹部
８  表面板
９  ヒーター取付部材
１０  裏板
１１  便蓋組立
２１  便座装置
【図１】
0005377598.tif 000002
【図２】
0005377598.tif 000003
【図３】
0005377598.tif 000004
【図４】
0005377598.tif 000005
【図５】
0005377598.tif 000006
【図６】
0005377598.tif 000007
【図７】
0005377598.tif 000008